(57)【要約】【課題】パネルの交換費用が安価であり、しかもパネルの交換作業が容易なビールサーバーを提供する。【解決手段】取付部を引き上げることで、冷却管、注出部およびビールホースを、冷却槽から分離可能なビールサーバーであって、注出部が配置される正面パネル５１と、左右の側面に配置される側面パネル５２，５３と、背面に配置される背面パネル５４とを備え、正面パネル５１と側面パネル５２，５３と背面パネル５４とがねじを介して着脱可能に連結されている。【選択図】図３
0003175983.tif 000002
【実用新案登録請求の範囲】
【請求項１】
ケース内に収容される冷却槽と、
前記冷却槽内に配置され、ビールを冷却する冷却管と、
前記冷却管の一端に接続され、前記ビールを注出する注出部と、を備え、
前記冷却管および前記注出部を介して冷却されたビールを注出するビールサーバーであって、
前記ケースは、前記注出部が配置される正面パネルと、少なくとも左右の側面を含む２分割または３分割されたパネルと、を備え、
前記正面パネルと前記パネルとがそれぞれ着脱可能に構成されていることを特徴とするビールサーバー。
【請求項２】
前記正面パネルと前記パネルとは、ねじを介して連結されていることを特徴とする請求項１に記載のビールサーバー。
【請求項３】
前記パネルは、左右の側面に配置される一対の側面パネルと、背面に配置される背面パネルとで構成されていることを特徴とする請求項１または請求項２に記載のビールサーバー。
【請求項４】
前記正面パネルは、その左右の両端縁部を折り曲げた折曲部を備え、
前記折曲部は、その内側面が前記パネルの外側面と対向する状態で前記パネルに取り付けられることを特徴とする請求項１から請求項３のいずれか１項に記載のビールサーバー。
【考案の詳細な説明】
【技術分野】
【０００１】
本考案は、ビールを冷却して注出するビールサーバーに関する。
【背景技術】
【０００２】
従来のビールサーバーとしては、ケースの外観を構成するパネルのうち、正面パネルと左右の側面パネルとが、１枚の板材を平面視においてコ字型に折り曲げて構成したものが使用されている。
【先行技術文献】
【特許文献】
【０００３】
【特許文献１】特開２００４−８５１５９号公報（図３）
【考案の概要】
【考案が解決しようとする課題】
【０００４】
しかしながら、平面視コ字型のパネルが、一部に傷が付いたり、汚れたり、凹んだりした場合には、パネルをまるごと取り替える必要があり、パネルの交換費用が嵩むという問題があった。また、平面視コ字型のパネルでは、パネルを交換する際に、多くのねじを取り外さなければならず、パネルの交換作業が面倒であった。
【０００５】
本考案は、上述した課題を解決するものであり、パネルの交換費用が安価であり、しかもパネルの交換作業が容易なビールサーバーを提供することを課題とする。
【課題を解決するための手段】
【０００６】
本考案は、ケース内に収容される冷却槽と、前記冷却槽内に配置され、ビールを冷却する冷却管と、前記冷却管の一端に接続され、前記ビールを注出する注出部と、を備え、前記冷却管および前記注出部を介して冷却されたビールを注出するビールサーバーであって、前記ケースは、前記注出部が配置される正面パネルと、少なくとも左右の側面を含む２分割または３分割されたパネルと、を備え、前記正面パネルと前記パネルとがそれぞれ着脱可能に構成されていることを特徴とする。
【０００７】
これによれば、正面パネルと２分割または３分割のパネルとを着脱可能に構成することで、正面パネル、２分割または３分割のパネルのいずれかに傷が付いたり、汚れたり、または凹んだりしたとしても、傷が付いたり、汚れたり、または凹んだりしたパネルのみを交換すればよく、交換の必要のないパネルは、そのまま残すことができるので、交換費用を安価にできる。
【０００８】
また、正面パネルと２分割または３分割のパネルとを着脱可能に構成することで、パネルを交換する際には、例えば交換が必要なパネルの周辺のねじのみを取り外せばよいので、パネルの交換作業が容易になる。
【０００９】
また、前記正面パネルと前記パネルとは、ねじを介して連結されていることを特徴とする。
【００１０】
これによれば、簡単な作業でパネルを交換することができる。また、パネルにねじ孔やねじ挿通孔を形成するだけでよいので、パネル加工が容易になる。
【００１１】
また、前記パネルは、左右の側面に配置される一対の側面パネルと、背面に配置される背面パネルとで構成されていることを特徴とする。
【００１２】
これによれば、一対の側面パネルと背面パネルの３分割にすることで、製造工場などで保管する際やパネル交換のために運搬する際に、同種のパネルを多数枚重ねて保管、運搬することができるので、取り扱い性を向上させることができる。
【００１３】
つまり、従来のように、平面視コ字型パネルであると、コ字型の内側の空間がデッドスペースとなり、パネルを保管する際や運搬する際に、非常に大きなスペースを必要とすることになり、取り扱いが煩雑になる。しかし、本考案のように、３分割のパネルにすることで、デッドスペースを小さくまたは無くすことができるので、パネルを保管する際や運搬する際の取り扱い性を向上させることが可能になる。
【００１４】
また、前記正面パネルは、その左右の両端縁部を折り曲げた折曲部を備え、前記折曲部は、その内側面が前記パネルの外側面と対向する状態で前記パネルに取り付けられることを特徴とする。
【００１５】
これによれば、折曲部が外側、パネルが内側に位置することで、正面から視認したときの正面パネルとパネルとの継ぎ目を隠すことができるので、意匠性を向上させることができる。
【考案の効果】
【００１６】
本考案によれば、パネルの交換費用が安価であり、しかもパネルの交換作業が容易なビールサーバーを提供できる。
【図面の簡単な説明】
【００１７】
【図１】本実施形態に係るビールサーバーの使用状態を示す斜視図である。
【図２】ビールサーバーのケースを取り外した内部構造を示す分解斜視図である。
【図３】ビールサーバーのケースを示す分解斜視図である。
【考案を実施するための形態】
【００１８】
本実施形態について、適宜図面を参照しながら詳細に説明する。まず、ビールサーバー１０を含むビール供給装置１の構成について図１を参照して説明する。
【００１９】
図１に示すように、ビール供給装置１は、瞬間冷却式サーバー（電気冷却式）であり、飲食店などで、ビールサーバー１０から冷却したビールをジョッキ１１などに注ぐ装置である。このビール供給装置１は、ビールサーバー１０と、ビール樽２０と、炭酸ガスボンベ３０とで構成されている。
【００２０】
ビールサーバー１０は、ケース１２の正面の上部にビールをジョッキ１１に注ぐための注ぎ口である注出部４３と、正面の下部に注出部４３から流れ落ちるビールを受ける受皿１４と、を備えている。また、ビールサーバー１０の内部から延びたビールホース１５は、上流側の端部がディスペンスヘッド１６を介してビール樽２０と接続されている。
【００２１】
また、ビールサーバー１０は、例えば略四角箱型の６面で構成され、底面を構成する底部５０（図２参照）に４つの脚部５０ｓ（１つは図示省略）が設けられている。脚部５０ｓは、ゴムなどの弾性材料で形成され、ビールサーバー１０が台１００上に設置される。なお、台１００としては、ビールサーバー専用の台であってもよく、飲食店などのカウンタ上であってもよい。
【００２２】
ビール樽２０には、上面中央に口金２０ａが設けられ、この口金２０ａにディスペンスヘッド１６が取り付けられている。また、ビール樽２０の口金２０ａには、ビール樽２０内の底面に向けて取出管２１が延びている。
【００２３】
炭酸ガスボンベ３０は、ビール樽２０内のビールをビールサーバー１０に向けて押し出すためのものであり、ガスホース３１を介してビール樽２０と接続されている。ガスホース３１は、その一端が減圧弁３２を介して炭酸ガスボンベ３０と接続され、他端がディスペンスヘッド１６と接続されている。
【００２４】
ディスペンスヘッド１６に設けられたハンドル１６ａを操作することにより、炭酸ガスボンベ３０内の炭酸ガスがビール樽２０内に導入され、炭酸ガスによってビールの液面に圧力が作用し、ビールの液面が押し下げられることで、ビールが取出管２１、ビールホース１５を介してビールサーバー１０に押し出される。
【００２５】
図２に示すように、ビールサーバー１０は、冷却槽４１、冷却管４２、注出部４３、取付部４４などを備えている。
【００２６】
冷却槽４１は、冷却水を溜める水槽４１ａ、蒸発器４１ｂ、支持脚４１ｃ、モータ４１ｄなどで構成されている。
【００２７】
水槽４１ａは、上面が開口した有底四角筒形状を呈し、内側が合成樹脂で形成され、外側が発泡ウレタンなどの断熱材で覆われ、ケース１２の底面を構成する底部５０上に載置されている。
【００２８】
蒸発器４１ｂは、冷媒が流れる管が水槽４１ａの内壁面に沿って巻回されることで構成されている。なお、図２では、蒸発器４１ｂの一部のみを図示している。
【００２９】
支持脚４１ｃは、略角筒形状を呈し、側面がネット状に形成され、水槽４１ａ内の底面中央に立設されている。
【００３０】
モータ４１ｄは、支持脚４１ｃの上部に設置され、支持脚４１ｃの内部に設けられたアジテータ（攪拌機、不図示）を駆動する。なお、アジテータは、水槽４１ａ内の冷却水に埋没するように配置され、冷却水を攪拌する。
【００３１】
なお、冷却槽４１の後方には、圧縮機（不図示）、凝縮器（不図示）、減圧手段（キャピラリチューブなど）などが設けられている。圧縮機の冷媒吸入側が、蒸発器４１ｂの一端と接続され、圧縮機の冷媒吐出側が、凝縮器、減圧手段を介して蒸発器４１ｂの他端と接続され、冷凍サイクルを構成している。蒸発器４１ｂ、圧縮機、凝縮器、減圧手段からなる冷凍装置が運転され、蒸発器４１ｂ内の管内を冷媒が通過することにより、水槽４１ａ内の水が冷やされ、その一部が氷となって蒸発器４１ｂの周囲に付着する。
【００３２】
また、水槽４１ａが載置されている底部５０は、底板５０ａと、底板５０ａの正面縁部で折り曲げられた起立部５０ｂと、底板５０ａの右側縁部で折り曲げられた起立部５０ｃと、底板５０ａの背面縁部で折り曲げられた起立部５０ｄと、を有している。なお、図示していないが、底板５０ａの左側面側縁部においても、起立部５０ｃと同様に起立部が形成されている。
【００３３】
また、正面側の起立部５０ｂは、冷却槽４１用のオーバーフローホース４１ｅが通る切欠部５０ｅ、冷却槽４１内の冷却水を排水するための排水ホース４１ｆを挿通させる挿通孔５０ｆがそれぞれ形成されている。
【００３４】
冷却管４２は、ビールを急冷（急速に冷却）する流路であり、円筒状に巻回され、水槽４１ａ内の冷却水中に埋没するように構成されている。ビールホース１５を通ってビールサーバー１０（図１参照）内に導入されたビールは、一旦、図示しない管を介して冷却管４２の底部に向けて流れ、巻回された冷却管４２内を底側から上側に向けて流れることにより冷却される。
【００３５】
注出部４３は、カランやカランレバーなどで構成され、ケース１２の正面を向くように配置されている。なお、本実施形態では、注出部４３がシングルのビールサーバー１０を例に挙げて説明しているが、これに限定されるものではなく、注出部４３がダブルのビールサーバーであってもよい。なお、図示省略するが、注出部４３がダブルの場合には、別々にビール回路が構成されている。
【００３６】
取付部４４は、冷却管４２、注出部４３およびビールホース１５を一体に取り付けられる部材であり、冷却管４２およびビールホース１５が取り付けられる第１板部４４ａと、注出部４３が取り付けられる第２板部４４ｂとで、左右方向の側面視において略Ｌ字型を呈するように構成されている。
【００３７】
第１板部４４ａは、上下方向（鉛直方向）に貫通する開口部４４ｃが形成されている。この開口部４４ｃは、前記した支持脚４１ｃおよびモータ４１ｄが挿通可能となる開口面積に設定されている。
【００３８】
また、第１板部４４ａには、開口部４４ｃの縁部から鉛直方向下方に延びて、冷却管４２を保持する保持プレート４４ｄ，４４ｄ，４４ｄが設けられている。また、各保持プレート４４ｄは、冷却管４２の下方において、リングプレート４４ｅを介して互いに連結されている。なお、図示していないが、リングプレート４４ｅに形成された孔についても、前記開口部４４ｃと同様に、支持脚４１ｃおよびモータ４１ｄが挿通可能となる開口面積に設定されている。
【００３９】
また、第１板部４４ａには、ビールホース１５を接続するための継手４４ｆが設けられている。この継手４４ｆは、エルボ形状を呈し、一端が第１板部４４ａの上面に固定され、他端がビールホース１５に接続されている。また、継手４４ｆは、図示しない回動機構によってビールホース１５が接続される向きを前後左右の平面内において回動自在である。したがって、継手４４ｆを右向きに回動させることで、ビールサーバー１０の右側の側面パネル５２（図３参照）にビールホース１５を挿通させることができ（図１参照）、また継手４４ｆを左向きに回動させることで、ビールサーバー１０の左側の側面パネル５３（図３参照）にビールホース１５を挿通させることができる。
【００４０】
第２板部４４ｂには、注出部４３が取り付けられ、第２板部４４ｂの正面側において注出部４３のカランやレバーなどを備えた部分が配置され、裏面側において注出部４３のビール導入部分と冷却管４２の一端とが接続されている。なお、図２では、注出部４３と冷却管４２とが接続されている状態の図示を省略している。
【００４１】
また、第２板部４４ｂは、同形状の２枚の板材４４ｇ、４４ｈを重ね合わせたものであり、裏側の板材４４ｈが左右両端部において表側の板材４４ｇから離れて、板材４４ｇと板材４４ｈとの間に隙間４４ｉ，４４ｉが形成されるように構成されている。
【００４２】
このように、本実施形態に係るビールサーバー１０は、取付部４４に冷却管４２と注出部４３とビールホース１５とが一体に取り付けられることにより、冷却槽４１に対して取付部４４を鉛直方向上方に引き上げた場合、冷却管４２、注出部４３およびビールホース１５を、冷却槽４１から分離できるようにした分離型サーバーである。
【００４３】
このような分離型サーバーからなるビールサーバー１０を使用することで、取付部４４に取り付けられた冷却管４２、注出部４３およびビールホース１５（ディスペンスヘッド１６を含む）を、飲食店などから定期的に回収して、分解、洗浄することにより、洗浄品質を高く維持することができるとともに、提供するビールの品質を高く維持できるようになる。
【００４４】
図３に示すように、ビールサーバー１０の外殻を成すケース１２は、ステンレス鋼板をプレス成形することなどで形成され、正面パネル５１、左右の側面パネル５２，５３、背面パネル５４、上前パネル５５、上後パネル５６を有している。なお、本実施形態では、側面パネル５２，５３と背面パネル５４とが３分割のパネルに相当する。
【００４５】
正面パネル５１は、略四角形状を呈し、左右の両端縁部が奥側（背面側）に向けて折り曲げられた折曲部５１ａ，５１ｂを有している。また、正面パネル５１の正面側の表面と、折曲部５１ａ，５１ｂの表面との境界部分は、曲面となるように構成されている。また、折曲部５１ａ，５１ｂには、それぞれ鉛直方向の上部、下部、中央部の３箇所にねじ挿通孔ｈ１が形成されている。
【００４６】
また、正面パネル５１の正面側の上部中央には、凹状に大きく切り欠かれた切欠部５１ｃが形成され、切欠部５１ｃに前記した第２板部４４ｂが取り付けられる。すなわち、正面パネル５１の切欠部５１ｃの左右の縁部が、第２板部４４ｂの両端の隙間４４ｉ，４４ｉに挿入されることにより、第２板部４４ｂを切欠部５１ｃに対してスライドさせ、取付部４４を上げ下げ、つまり取付部４４を着脱することができる。
【００４７】
また、正面パネル５１の内面には、正面パネル５１を冷却槽４１の水槽４１ａに固定するための固定部５１ｄが設けられている。この固定部５１ｄは、板状に形成され、複数のねじ挿通孔ｈ２が形成されている。
【００４８】
また、正面パネル５１の正面には、オーバーフローホース４１ｅ（図２参照）を挿通させる挿通孔５１ｅ、排水ホース４１ｆ（図２参照）を挿通させる挿通孔５１ｆ、受皿１４（図１参照）を固定するためのねじ孔ｈ３などが形成されている。
【００４９】
右側の側面パネル５２は、略四角形状を呈し、正面側の縁部に正面パネル５１の折曲部５１ａと重なる重ね代５２ａが形成されている。この重ね代５２ａは、正面パネル５１の折曲部５１ａが重ねられたとき、正面パネル５１の表面と側面パネル５２の表面とが面一または略面一になるように段差部を有している。また、重ね代５２ａには、前記ねじ挿通孔ｈ１と対応する位置にねじ孔ｈ４が形成されている。
【００５０】
また、側面パネル５２は、下端の縁部が内側に直角に折り曲げられた曲げ部５２ｂを有し、この曲げ部５２ｂの前寄りと後寄りにそれぞれねじ挿通孔ｈ５が形成されている。
【００５１】
また、側面パネル５２には、上端の縁部の前寄りに、凹状に小さく切り欠かれた切欠き５２ｃが、また上端の縁部の前後方向の略中央にスリット形状の切欠き５２ｄ、また前記冷凍装置に対応する位置に冷却用の通気孔５２ｅがそれぞれ形成されている。
【００５２】
また、側面パネル５２には、前後方向の略中央の上部にねじ挿通孔ｈ６、通気孔５２ｅの上部にねじ孔ｈ７、切欠き５２ｃの近傍に一対のねじ孔ｈ８がそれぞれ形成されている。
【００５３】
また、側面パネル５２は、後端縁部が内側に直角に折り曲げられた曲げ部５２ｆを有し、この曲げ部５２ｆに沿って複数のねじ孔ｈ９が形成されている。
【００５４】
また、左側の側面パネル５３についても、右側の側面パネル５２の重ね代５２ａ、曲げ部５２ｂ、切欠き５２ｃ，５２ｄ、通気孔５２ｅ、曲げ部５２ｆと同様に、重ね代５３ａ、曲げ部５３ｂ、切欠き５３ｃ，５３ｄ、通気孔５３ｅ、曲げ部５３ｆが形成され、また同様に、ねじ孔ｈ４，ｈ７，ｈ８，ｈ９、ねじ挿通孔ｈ５（不図示），ｈ６が形成されている。
【００５５】
また、ビールサーバー１０は、ブラインド部材５７によって、ビールホース１５を挿通しない側の切欠き５３ｃ（または切欠き５２ｃ）の開口を閉じることができるようになっており、異物がビールサーバー１０内に侵入するのを防止できる。ブラインド部材５７は、切欠き５３ｃ（５２ｃ）の開口面積よりも大きい面積を有し、前記ねじ孔ｈ８に対応するようにねじ挿通孔ｈ１０が形成されている。
【００５６】
背面パネル５４は、略四角形状を呈し、下端の縁部に電源コード挿通用の切欠き５４ａが形成されるとともに、上部に冷却用の通気孔５４ｂが形成されている。
【００５７】
また、背面パネル５４には、左右の縁部に、前記ねじ孔ｈ９と対応する位置にねじ挿通孔ｈ１１が形成されている。
【００５８】
上前パネル５５は、ケース１２の上面の前側半分を覆うものであり、略四角形状を呈している。また、上前パネル５５は、縁部が下向きに直角に折り曲げられた起立面５５ａ，５５ｂ，５５ｃ，５５ｄを有し、下向きの凹形状を呈している。また、起立面５５ａ，５５ｂ，５５ｃ，５５ｄは、正面パネル５１、側面パネル５２，５３の上端縁部の表面に沿う形状を有している。
【００５９】
上後パネル５６は、ケース１２の上面の後側半分を覆うものであり、略四角形状を呈している。また、上後パネル５６は、縁部が下向きに直角に折り曲げられた起立面５６ａ，５６ｂ，５６ｃ，５６ｄを有し、下向きの凹形状を呈している。また、起立面５６ａ，５６ｂ，５６ｃ，５６ｄについては、前記と同様に、側面パネル５２，５３、背面パネル５４の上端縁部の表面に沿う形状を有している。また、上後パネル５６の左右の起立面５６ｂ，５６ｃには、前記ねじ孔ｈ７と対応する位置にねじ挿通孔ｈ１２（一方のみ図示）が形成されている。
【００６０】
このように構成されたケース１２は、冷却槽４１（図２参照）が設置された底部５０（図２参照）に対して、まず、側面パネル５２，５３、正面パネル５１、背面パネル５４、上後パネル５６の順に取り付けられた後、取付部４４が取り付けられ、最後に上前パネル５５が取り付けられる。
【００６１】
詳述すると、まず、底部５０と側面パネル５２とが位置決めされた後、ねじｓ２をねじ挿通孔ｈ５に挿通させ、底部５０の下面に形成されたねじ孔（不図示）に螺合させる。また、ねじｓ３をねじ挿通孔ｈ６に挿通させ、冷却槽４１に形成されたねじ孔（不図示）に螺合させる。なお、側面パネル５３についても同様にして底部５０と側面パネル５３とをねじ固定する。また、ねじｓ６をねじ挿通孔ｈ１０に挿通させ、ねじ孔ｈ８に螺合させることで、ブラインド部材５７で切欠き５３ｃを塞ぐことができる。
【００６２】
そして、正面パネル５１と側面パネル５２とを位置決めした後、ねじｓ１を正面パネル５１のねじ挿通孔ｈ１に挿通させ、側面パネル５２のねじ孔ｈ４に螺合させる。また、図示しないねじをねじ孔ｈ２に挿通させ、水槽４１ａの上端縁部に形成されたねじ孔（不図示）に螺合させる。
【００６３】
なお、同様にして、正面パネル５１を側面パネル５３にねじ固定する。また、オーバーフローホース４１ｅを挿通孔５１ｅに挿通し、排水ホース４１ｆを挿通孔５１ｆに挿通する。
【００６４】
そして、背面パネル５４と側面パネル５２，５３とを位置決めした後、ねじｓ５を背面パネル５４のねじ挿通孔ｈ１１に挿通させ、側面パネル５２，５３のねじ孔ｈ９に螺合させる。
【００６５】
そして、上後パネル５６の起立面５６ｂ，５６ｃと側面パネル５２，５３の上端縁部の外面とが重なるように、また起立面５６ｄと背面パネル５４の上端縁部の外面とが重なるように、また起立面５６ａが側面パネル５２，５３の切欠き５２ｄ，５３ｄに挿入されるように配置することで、上後パネル５６によってケース１２の上部後側の開口が塞がれる。そして、ねじｓ４を、上後パネル５６のねじ挿通孔ｈ１２に挿通させ、側面パネル５２，５３のねじ孔ｈ７に螺合させる。
【００６６】
そして、ケース１２の上部に開口した部分から、冷却管４２が水槽４１ａ内の所定位置に配置されるように、また第２板部４４ｂが正面パネル５１の所定位置に配置されるように、取付部４４を降下させる。このとき、継手４４ｆから延びるビールホース１５を切欠き５２ｃに挿通させる。なお、ビールホース１５を切欠き５２ｃに挿通させるか、切欠き５３ｃに挿通させるかは、ビールサーバー１０の設置場所などに応じて適宜変更することができる。
【００６７】
そして、上前パネル５５の起立面５５ａ，５５ｂ，５５ｃと正面パネル５１、側面パネル５２，５３の上端縁部の外面とが重なるように、また起立面５５ｄが側面パネル５２，５３の切欠き５２ｄ，５３ｄに挿入されるように配置することで、上前パネル５５によってケース１２の上部前側が塞がれる。
【００６８】
以上説明したように、本実施形態に係るビールサーバー１０によれば、ケース１２が、側面パネル５２，５３と背面パネル５４（３分割のパネル）、換言するとケース１２が、正面パネル５１と、側面パネル５２，５３と背面パネル５４の４分割で着脱可能に構成されているので、例えば、正面パネル５１が傷付いたり、汚れたり、凹んだりした場合には、交換する必要のある正面パネル５１のみを交換するだけでよく、交換の必要のない側面パネル５２，５３、背面パネル５４は、そのまま残すことができるので、交換費用を安くすることができる。
【００６９】
また、正面パネル５１のみを交換する場合には、正面パネル５１と側面パネル５２とを連結するねじｓ１、正面パネル５１と側面パネル５３とを連結するねじｓ１、正面パネル５１と水槽４１ａとを連結するねじのみを外すことで、正面パネル５１を交換することができる。
【００７０】
ところで、従来のように正面パネルと左右の側面パネルとが一体（一枚板）で平面視コ字型に形成されている場合には（比較例）、パネルの正面、左右の側面のいずれかが傷ついたりしたときなどは、平面視コ字型のパネル（交換要パネル）をまるごと交換しなければならず、パネルの交換費用が嵩んでいた。また、交換要パネルと底部とを連結しているねじ、交換要パネルと背面パネルとを連結しているねじ、交換要パネルと上後パネルとを連結しているねじ、交換要パネルと冷却槽とを連結しているねじ、つまり、交換要パネルに連結されているすべてのねじを取り外さなくてはならず、パネルの交換作業が面倒であった。しかし、本実施形態のように、傷ついたりなどしたパネルのみを交換するだけでよいので、交換費用を安くすることができるとともに、取り外すねじの本数を削減することができ、交換作業が容易になる。
【００７１】
また、本実施形態では、側面パネル５２（または側面パネル５３）が傷ついたりなどしたときには、側面パネル５２（または側面パネル５３）のみを交換するだけでよいので、冷却管４２、注出部４３、ビールホース１５が一体に取り付けられた取付部４４を取り外す必要がないので、パネルの交換作業がより簡単になる。
【００７２】
また、本実施形態のビールサーバー１０によれば、パネル製造後のパネル保管時やパネル交換のためのパネル運搬時には、平面パネル５１、側面パネル５２，５３、背面パネル５４を、それぞれ同種のパネル５１（５２，５３，５４）同士を重ねてまたは略重ねた状態にできるので、小さいスペースで多くの枚数のパネル５１（５２，５３，５４）を保管、運搬することができる。これに対して、従来のような平面視コ字型のパネルでは、コ字型の内側の空間がデッドスペースとなり、パネルの全体の面同士を重ねることができず、保管や運搬に大きなスペースを必要とする。このように、本実施形態のビールサーバー１０によれば、パネル（正面パネル５１、側面パネル５２，５３、背面パネル５４）の取り扱い性を向上させることができる。
【００７３】
また、本実施形態では、正面パネル５１と側面パネル５２，５３とを、側面パネル５２，５３同士を、それぞれねじを介して連結することで、簡単な作業で正面パネル５１、側面パネル５２，５３、背面パネル５４を交換することができる。また、ねじ孔やねじ挿通孔を形成するだけでよいので、パネル加工が容易である。
【００７４】
また、本実施形態では、側面パネル５２，５３と背面パネル５４の３分割のパネルで構成することで、同じ種類のパネルを多数枚、保管時や運搬時に、重ねて保管、運搬することが容易になり、取り扱い性をさらに向上させることができる。
【００７５】
また、本実施形態では、正面パネル５１の左右の端部が曲げられた折曲部５１ａ，５１ｂを備え、折曲部５１ａ，５１ｂの内側の面（内側面）と側面パネル５２，５３の外側の面（外側面）とが重なる（対向する）状態にして取り付けることで、ビールサーバー１０を正面側から視認したときの、正面パネル５１と側面パネル５２，５３との継ぎ目（境界部分）を隠すことができので、意匠性（美観）を向上させることができる。
【００７６】
なお、本考案は、前記した実施形態に限定されるものではなく、本考案の趣旨を逸脱しない範囲において適宜変更することができる。例えば、本実施形態では、少なくとも左右の側面を含む３分割されたパネルとして、一対の側面パネル５２，５３と背面パネル５４とで構成した場合を例に挙げて説明したが、右側の側面と背面の右側半分とを一体にした平面視Ｌ字型と、左側の側面と背面の左側半分とを一体にした平面視Ｌ字型として、少なくとも左右の側面を含む２分割されたパネルとしてもよい。
【００７７】
また、正面パネル５１と側面パネル５２，５３と背面パネル５４とを連結する手段として、ねじ固定の場合を例に挙げて説明したが、これに限定されるものではなく、例えば、正面パネル５１の折曲部５１ａ，５１ｂの内壁面に鉤形状の爪部を設け、側面パネル５２，５３の前端縁部に爪部を挿入させてスライド可能な開口を設けるようにしてもよい。これにより、ねじ固定のためのねじの本数や、ねじ孔を削減することができ、パネルの交換作業を容易することが可能になる。
【００７８】
また、前記した実施形態でのねじ固定の箇所は、一例であって、適宜変更することがすることができる。また、前記した実施形態では、分離型サーバーを例に挙げて説明したが、これに限定されず、冷却管４２と注出部４３とがケース１２側に固定された非分離型のビールサーバーであってもよい。
【符号の説明】
【００７９】
１      ビール供給装置
１０    ビールサーバー
１２    ケース
１５    ビールホース
２０    ビール樽
３０    炭酸ガスボンベ
４１    冷却槽
４２    冷却管
４３    注出部
４４    取付部
５０    底部
５１    正面パネル
５１，５１ｂ  折曲部
５２，５３  側面パネル
５４    背面パネル
ｈ１，ｈ２，ｈ５，ｈ６，ｈ１１  ねじ挿通孔
ｈ４，ｈ９  ねじ孔
ｓ１，ｓ２，ｓ３，ｓ４，ｓ５  ねじ
【図１】
0003175983.tif 000003
【図２】
0003175983.tif 000004
【図３】
0003175983.tif 000005